(57)【要約】【課題】照明装置の調光制御に関する管理を容易にすること。【解決手段】本発明の照明制御システムは、光源を備えた照明装置と前記照明装置を調光制御するための制御装置とを備え、前記調光制御が無線通信を介して行われる、照明制御システムであって、前記制御装置は、可搬性メモリを読み取るための読取手段を有し、前記可搬性メモリに格納可能な管理情報に基づいて前記調光制御を行う。【選択図】図１
2015032445.tif 000002
【特許請求の範囲】
【請求項１】
光源を備えた照明装置と前記照明装置を調光制御するための制御装置とを備え、前記調光制御が無線通信を介して行われる、照明制御システムであって、
前記制御装置は、可搬性メモリを読み取るための読取手段を有し、前記可搬性メモリに格納可能な管理情報に基づいて前記調光制御を行うことを特徴とする、照明制御システム。
【請求項２】
前記照明装置は固有の識別情報を有し、
前記管理情報には、調光制御の単位となる前記照明装置のグループの情報を管理するグループ管理情報が含まれており、
前記制御装置は、前記グループに包含される前記照明装置に対応する前記識別情報と、該グループの明るさに関する情報と、を含んだ調光制御信号を無線送信し、
前記照明装置は、受信した前記調光制御信号に、自身に対応する前記識別情報が含まれていた場合に、前記明るさに関する情報に従って、各光源を調光する、
ことを特徴とする請求項１に記載の照明制御システム。
【請求項３】
前記制御装置は、特定の前記グループに対する明るさを指定する入力がなされると、前記調光制御信号を送信する、ことを特徴とする請求項２に記載の照明制御システム。
【請求項４】
前記管理情報には、特定の前記グループに対する特定の時間帯における該グループの明るさを指定する、自動調光情報が更に含まれており、
前記制御装置は、前記自動調光情報に基いて、該グループに関して指定された時刻になると、前記調光制御信号を送信する、ことを特徴とする請求項２又は３に記載の照明制御システム。
【請求項５】
前記光源にはＬＥＤが含まれることを特徴とする、請求項１〜４のいずれかに記載の照明制御システム。
【請求項６】
前記管理情報が、テキストファイル形式で格納されることを特徴とする、請求項１〜５のいずれかに記載の照明制御システム。
【請求項７】
前記無線通信が、２．４ＧＨｚ帯の周波数を用いて行われることを特徴とする請求項１〜６のいずれかに記載の照明制御システム。
【請求項８】
各照明装置の明るさを指示する調光制御信号を生成する信号生成手段と、
前記調光制御信号を無線通信により送信する送信手段と、
可搬性メモリを読み取るための読取手段と、を備え、
前記信号生成手段は、前記可搬性メモリに格納可能な管理情報を用いて、前記調光制御信号を生成することを特徴とする調光制御装置。
【請求項９】
調光制御の単位となるグループの明るさの情報を記憶する記憶部を更に備え、
前記管理情報には、前記グループの情報を管理するグループ情報が含まれており、
前記信号生成手段が、前記明るさの情報と前記管理情報とを用いて前記調光制御信号を生成することを特徴とする、請求項８に記載の調光制御装置。
【請求項１０】
前記グループの明るさの情報を入力するための操作部を更に備えており、
前記操作部を介して特定の前記グループの明るさの情報が入力されると、前記信号生成手段が前記調光制御信号を生成することを特徴とする、請求項９に記載の調光制御装置。
【請求項１１】
前記管理情報には、特定の前記グループに対する特定の時間帯における該グループの明るさを指定する、自動調光情報が更に含まれており、
前記信号生成手段が、前記自動調光情報に定められたスケジュールに基いて自動的に前記調光制御信号を生成することを特徴とする、請求項９又は１０に記載の調光制御装置。
【発明の詳細な説明】
【技術分野】
【０００１】
本発明は、照明装置の調光管理を行うための照明制御システムに関する。
【背景技術】
【０００２】
オフィスビルや商業施設等の比較的広い空間を擁する施設には、施設屋内各所が一定の明るさの範囲内となるようにするため、通常、複数の照明が備えられている。
【０００３】
同一フロアや一つの部屋に対して複数の照明が備えられている場合、点灯・消灯・明るさの変更（以下、「調光」という）を行うためのスイッチの実装方法として、全ての照明を一つのスイッチで調光する方法や、各照明と一対一に対応する各スイッチを一か所のパネルに纏める方法が考えられる。
【０００４】
これらの方法は、照明の数が比較的少なければ大きな問題は生じない。しかしながら、備えられる照明の数が多くなるほど、前者であれば、不必要な照明まで点灯させてしまうためにエネルギーの無駄が生じ、後者であれば、スイッチの数が膨大となり、調光の手間が増えたり、調光したい照明と対応するスイッチを探し当てるための負荷が多くなったりするなど、使用者の不便が増大してしまう。
【０００５】
そのため、オフィスビルや商業施設など、比較的広い空間を擁する施設に備えられた複数の照明の調光制御の方法としては、例えば、下記特許文献１に記載される照明制御システムのように、複数の照明をいくつかのグループに分け、各グループ単位で調光制御を行うようにして、調光の手間を軽減する方法が一般的である。
【０００６】
また、下記特許文献２に記載される照明制御装置のように、無線ネットワークを用いて機器間の通信を行うようにすることで、間仕切りの変更等に伴って生じるグループや調光設定の変更の際に、物理配線の変更の手間の掛からないようにされたものも知られている。
【先行技術文献】
【特許文献】
【０００７】
【特許文献１】特開２０１１−  ２３３０６号公報
【特許文献２】特開２０００−１４９９９３号公報
【発明の概要】
【発明が解決しようとする課題】
【０００８】
これらの照明制御システムにおいては、通常、調光を指示するための制御装置としてのスイッチ類が壁などに設置されるが、同時に、壁まで移動しなくとも調光制御可能なように、無線通信を用いて調光制御できるようにした遠隔制御装置が別途用意されることも多い。
【０００９】
そのため、調光制御の利便性をより高くするために、近年では、これらの調光制御用の遠隔制御装置の機能を拡充して、上述したグループ管理や調光設定を変更できるようにすることも試みられている。
【００１０】
しかしながら、このような調光制御用の遠隔制御装置は、実際に調光を行う際の利便性の視点から、概ね、片手で把持しながら親指一本で操作が可能な程度のサイズであり、各種情報をリアルタイムで示すための表示装置は極力小さくされ、操作のためのボタンの数も必要最低限なものとされるのが一般的である。
【００１１】
すなわち、調光制御用の遠隔制御装置は、実際の調光操作を行う際の利便性に重点を置かざるを得ないなため、そのサイズ、各種情報をリアルタイムで表示するための表示手段、操作を入力するためのボタンの配置・数に、必然的な制約が存在する。
【００１２】
そのため、調光制御用の遠隔制御装置を用いて、照明装置のグループ管理等の管理機能を実現させている照明制御システムでは、表示手段の表示エリアの制約から、調光制御を行う単位であるグループと特定の照明装置とを紐づけるための操作を、照明装置毎について一件一件行わなければないことが多く、また、操作性の必ずしも高くない限られた数のボタン類で実際の登録操作を行わなければならないため、管理する照明装置が多数である程、管理の煩雑さや誤操作が生じてしまう恐れが増大する、という課題があった。
【００１３】
本発明は上述のような課題を解決するためになされたものであり、照明装置の調光制御に関する管理を容易にすることを目的とする。
【課題を解決するための手段】
【００１４】
上記目的を達成するため、本発明の照明制御システムは、
光源を備えた照明装置と前記照明装置を調光制御するための制御装置とを備え、前記調光制御が無線通信を介して行われる、照明制御システムであって、
前記制御装置は、可搬性メモリを読み取るための読取手段を有し、前記可搬性メモリに格納可能な管理情報に基づいて前記調光制御を行うことを特徴とする。
【００１５】
本発明の照明制御システムにおいては、従来であれば調光制御用コントローラ内や照明装置に格納されていた調光制御を行うための管理情報について、外部に取り出すことが可能であるため、例えばパーソナルコンピュータなどの汎用的かつ操作性の高い端末を用いて、管理情報を管理・編集することが可能となる。
【００１６】
そのため、本発明の照明制御システムによれば、調光制御用のコントローラ単独で管理情報を管理・編集する場合と比べて、調光制御のための設定を容易に行うことが可能となり、従来と比べてより容易に快適性と節電性とのバランスを取ることができるようになる。
【００１７】
また、パーソナルコンピュータ等を介して、可搬性メモリ上に格納されている管理情報のコピーの作成も容易にとなる。そのため、従来であれば、照明制御システムの製造者が独自に保有する技術的知識・技能がなければ困難であった管理情報の保管・保全が容易となる。
【００１８】
この点は、例えば、調光制御用コントローラを紛失してしまった場合の管理情報の再設定や、複数の調光制御用コントローラで調光制御の運用を行うような場合の管理情報の統一化の作業などにおける、メンテナンス作業の顕著な軽減をもたらす。
【００１９】
また、本発明の照明制御システムにおいては、管理情報として、調光制御を行う単位となるグループの情報を管理するグループ管理情報を含めることで、点灯・消灯・明るさの変更、といった調光制御をグループ単位で行えるようにしても良い。
【００２０】
例えば、各照明装置には予め固有の識別情報（以下「照明識別ＩＤ」という）を割り当てておき、その上で、グループ管理情報として、グループを識別する情報（以下「グループ識別ＩＤ」という）と、各グループに含まれる照明装置に対応する照明識別ＩＤとを紐づける情報を保持しておいた場合、本発明の調光制御システムの一態様における調光制御の流れとしては以下のようなものが考えられる。
【００２１】
すなわち、調光制御装置の使用者が、調光制御の対象となるグループの選択と当該グループの明るさを指定する入力を行うと、調光制御装置は、可搬性メモリに格納されているグループ管理情報に基づいて、当該グループに含まれる照明識別ＩＤとグループの明るさに関する情報とを含んだ、調光制御信号を無線送信する。
【００２２】
そして、各照明装置は、受信した調光制御用信号に自身に対応する照明識別ＩＤが含まれていた場合に、調光制御用信号に含まれる明るさに関する情報に従って自身の光源の明るさを調光する。
【００２３】
また、管理情報として、上記のグループ管理情報に加えて、特定のグループに対する特定の日時・時間帯における明るさを指定する情報（以下、「自動調光情報」という）を含めるようになすことで、自動調光情報に定めれらたスケジュールに従って自動的に調光制御されるようにすることも可能となる。
【００２４】
例えば、自動調光情報には、自動的に調光制御を行いたいグループごとに、明るさを変更する時刻と変更後の明るさに関する情報とからなるデータを一組として、明るさの変更が必要なタイミングの数だけの組のデータが設定されており、調光制御装置は、自動調光制御情報に予め定められている時刻になると、明るさを変更する対象のグループに含まれる照明識別ＩＤと、明るさに関する情報とを含んだ調光制御信号を無線送信する。
【００２５】
そして、各照明装置は、受信した調光制御用信号に自身に対応する照明識別ＩＤが含まれていた場合に、調光制御用信号に含まれる明るさに関する情報に従って自身の光源の明るさを調光する。
【００２６】
なお、可搬性メモリに格納される管理情報については、テキストファイル形式で格納するようにすることで、汎用パーソナルコンピュータに標準的に備わるテキストエディタ類や汎用的に利用されている表計算ソフトウェア等で容易に編集・管理ができるようになる。
【００２７】
また、管理情報を編集・管理するための専用のソフトウェアを別途用意することで、管理情報の編集・管理をより容易にすることも可能である。
【００２８】
本発明の照明制御システムにおける光源としては、電圧や電流の制御によって、点灯・消灯の切り替えや、明るさを変更できるものであれば、周知のいずれの光源を採用することができる。
【００２９】
特にＬＥＤは、消費電力が低く、かつ、電流の制御のみで簡単に明るさを調整することが可能であるため、好ましい。
【００３０】
また、上記目的を達成するため、本発明の調光制御装置は、
定されていることを特徴とする。
非水電解質二次電池は、単位体積当たり及び単位重量当たりの容量が大きいため、特にペーパー電池のような小型・軽量が求められる駆動電源として非常に都合が良く、本発明の有用性がより高まる。
【図面の簡単な説明】
【００３１】
【図１】本発明のひとつの実施形態に係る調光制御装置１０の構成を示すブロック図である。
【図２】本発明のひとつの実施形態に係る調光制御装置１０の外観を示す模式図である。
【図３】本発明のひとつの実施形態に係る照明装置２０の構成を示すブロック図である。
【図４】本発明の実施例１における、グループ管理ファイルのデータ構成を示す模式図である。
【図５】本発明の実施例２における、自動調光ファイルのデータ構成を示す模式図である。
【発明を実施するための形態】
【００３２】
以下、本発明を実施するための形態について適宜図を参照して詳細に説明する。但し、以下に示す実施形態は、本発明の技術思想を具体化するための照明制御システムの一例を示すものであって、本発明をこの実施形態に限定することを意図するものではなく、本発明は特許請求の範囲に示した技術思想を逸脱することなく種々の変更を行ったものにも均しく適用し得るものである。
【００３３】
本実施形態の照明制御システムは、一つあるいは複数の調光制御装置１０と、一つあるいは複数の照明装置２０で構成されている。
【００３４】
調光制御装置１０は、押ボタンが配置されて、使用者による入力操作を受け付ける操作部１１と、可搬性メモリを読み取るための読取部１２と、記憶部１３と、各照明装置の明るさの変更を指示する調光制御信号を生成する信号生成部１４と、調光制御信号を無線信号として送信する送信部１５と、操作部１１による入力内容等の各種情報を表示するための表示部１６と、を備える。
【００３５】
図２に示すように、調光制御装置１０の前面には操作部１１及び表示部１６が配置されている。
【００３６】
読取部１２は、ＳＤメモリカードスロットなどで構成され、可搬性メモリとしてのＳＤメモリカードに格納される管理情報を読み取る。
【００３７】
記憶部１３はフラッシュメモリなどで構成され、操作部１１から入力された情報や読取部１２を介して可搬性メモリから読み込んだ管理情報を記憶する。
【００３８】
信号生成部１４はマイクロプロセッサなどで構成され、記憶部１３に記憶されている情報に基づき、調光制御信号を生成する。
【００３９】
送信部１５は、２．４ＧＨｚ帯の無線通信を行う無線通信デバイスであり、例えばＩＥＥＥ８０２．１５．４規格に従った物理層を有する。
【００４０】
図３に示すように、照明装置２０は、光源であるＬＥＤを含む点灯回路２１と、調光制御信号を受信する受信部２２と、商用交流１００Ｖを直流に変換する電源部２３と、制御部２４と、記憶部２５とを備える。
【００４１】
受信部２２は、送信部１５から送信される調光制御信号を受信するため、送信部１５と同様の、２．４ＧＨｚ帯の無線通信を行う無線通信デバイスである。
【００４２】
電源部２３は、ダイオードやコイル等の整流素子などから構成される整流回路や、供給する直流の電圧及び電流を調整する電力調整回路などから構成される。
【００４３】
制御部２４は、受信部２２からの調光制御信号に基づき、電源部２３を制御して、点灯回路２１に供給される電力を調整することで、照明装置２０の点灯・消灯・明るさの変更を行う。
【００４４】
点灯回路２１及び制御部２４の組み合わせで実現される、光源の明るさを制御する方法としては、光源であるＬＥＤの明るさを無段階もしくは段階的に変更できる方式であれば、どのような制御方式でも採用可能であり、例えばパルス幅変調（ＰＷＭ）方式であれば、比較的電力のロスが少なく低コストで実施可能である。
【００４５】
照明装置２０には、それぞれの装置に固有の識別情報（以下「照明識別ＩＤ」という）、例えば１０桁の数値、が設定されており、照明識別ＩＤは各照明装置の記憶部２５に保持されている。
【実施例１】
【００４６】
［管理情報：グループ管理情報］
本実施例においては、可搬性メモリに格納される管理情報には、各照明の調光制御の単位となるグループを管理するための「グループ管理情報」が含まれる。グループ管理情報は、各照明装置と一対一に対応する照明識別ＩＤと、グループを識別するための識別情報（以下、「グループ識別ＩＤ」という）とを紐づける情報であり、各グループにどの照明装置が含まれるかが定められたものである。
【００４７】
グループ管理情報のデータ構成としては、図４に示したようなものが例示できる。
すなわち、
・可搬性メモリには、ＣＳＶテキストファイルが、必要とする調光制御単位の数だけ格納されており、
・各ファイルのファイル名は、グループ識別ＩＤ（例えば「００１」）とされ、
・各ファイルには、当該グループに含まれる照明装置の照明識別ＩＤが、ＣＳＶ形式で記録されている。
なお、図４においては、１レコードに１フィールドとする態様、すなわち、一つの行に一つの照明識別ＩＤが記録されたファイルを、表計算ソフトウェアを利用して編集する場面を例示した。そのため、レコードの区切りである改行コードは表示されていない。
（以下、照明識別ＩＤがＣＳＶ形式で記録されたテキストファイルを「グループ管理ファイル」ともいう）
【００４８】
本実施例の照明制御システムによる調光制御の手順は、以下のようになる。
【００４９】
まず、予めグループ管理ファイルを作成して、ＳＤメモリカードに格納しておく。グループ管理ファイル作成の際には、事前に、各照明装置２０の照明識別ＩＤと共に、それぞれの照明装置２０の実際の配置場所が簡易的に示された、調光制御を行うフロアの見取り図などを参照しながら、当該フロアの間仕切りや各区域の用途などに合わせて、照明装置２０のグループ分けを行っておき、グループ分けの結果に基づいてグループ管理ファイルをパーソナルコンピュータ等を用いて作成する。
【００５０】
使用者は、読取部１２にＳＤメモリカードが挿入された調光制御装置１０を用いて、調光制御を行うグループの選択と、変更後の明るさを指定する。
【００５１】
具体的には、表示部１６の表示内容を参照しながら、調光制御を行うグループのグループ識別ＩＤを操作部１１の数字ボタンの押圧操作により入力することで、グループの選択を行う。
【００５２】
すると、現在の明るさが表示部１６に（例えば０〜９の１０段階表示で、「８」のように）表示される。続けて、ＵＰ・ＤＯＷＮボタンを押圧すると、変更後の明るさとして表示部１６に表示される値が増減する。そして望みの明るさの値となった時点で確定ボタンを押すことで、送信部１５から調光制御信号が無線送信される処理が実行される。なお、変更後の明るさとして「消灯」させたい場合は、設定可能な範囲の最低値（例えば、０〜９の１０段階表示であれば「０」）とすれば良い。
【００５３】
確定ボタンが押されてから、送信部１５によって調光制御信号が無線送信されるまでの処理の流れは、例えば以下のように進む。
【００５４】
確定ボタンが押されると、操作部１１によって入力されたグループ識別ＩＤと、明るさの値が記憶部１３に保持されると共に、読取部１２を介して、挿入されているＳＤメモリカードから、ファイル名が調光制御対象であるグループのグループ識別ＩＤと一致するグループ管理ファイルが読み出され、読み出されたグループ管理情報が記憶部１３に保持される。
【００５５】
次いで、信号生成部１４は、記憶部１３に保持されているグループ管理情報から、調光制御対象のグループに含まれる全ての照明識別ＩＤと、明るさの値を含んだ調光制御信号を生成し、送信部１５に出力することによって調光制御信号が送信部１５から無線送信される。
【００５６】
上述のようにして調光制御装置１０から送信された調光制御信号を受信した照明装置２０は、以下のようにして調光制御を行う。
【００５７】
すなわち、受信部２２によって調光制御信号を受信すると、受信した調光制御信号内に記憶部２５に保持される自身の照明識別ＩＤが含まれているかどうかを、制御部２４が判定する。そして、調光制御信号に自身の照明識別ＩＤが含まれている場合にのみ、制御部２４が電源部２３を制御して、調光制御信号によって指示された変更後の明るさとなるように、点灯回路２１に供給される電力を調整する。
【００５８】
なお、照明装置２０は、自身の照明識別ＩＤが含まれている調光制御信号を受信する度に光源の明るさを調整する。すなわち、照明装置２０の明るさは、最新の調光制御信号を受信した結果を反映したものとなる。そのため、本実施例においては、同一の照明識別ＩＤが異なるグループ管理ファイルに同時に記録されていも何ら問題はない。
【００５９】
仮に、異なるグループであるグループ１（グループ識別ＩＤ：００１）とグループ２（グループ識別ＩＤ：００２）の双方に照明識別ＩＤが記録されている照明装置２０ａが存在するとした場合、グループ１に対する調光制御操作Ａが行われると、照明装置２０ａの明るさは調光制御操作Ａの結果を反映したものとなるが、その後、グループ２に対する調光制御操作Ｂが行われると、照明装置２０ａの明るさは、最新である調光制御操作Ｂの結果を反映した明るさとなる。
【００６０】
上述した、照明装置２０の明るさが最新の調光制御信号を受信した結果を反映したものとなる点は、複数の調光制御装置１０を用いて同一のフロアないしエリアに設置された照明装置２０を調光制御する際にも有効である。
【００６１】
すなわち、どの調光制御装置１０によって送信された調光制御信号であっても、受信した各照明装置２０は、自身の照明識別ＩＤがその調光制御信号に含まれているかどうかだけに基づいて、自身の光源の明るさを変更するかどうかを決定できるため、各調光制御装置１０に挿入されているＳＤメモリカード上のグループ管理情報が、共通のものであっても、異なるものであっても、それぞれの調光制御装置１０を用いて照明装置２０のグループ調光を矛盾なく行うことが可能である。
【００６２】
なお、各照明装置２０が有する照明識別ＩＤは、桁数による制限等より、異なるフロアや隣り合うエリアに配置されている照明装置２０のいずれかと重複してしまうことも考えれられる。すると、異なるフロアや隣り合うエリアの照明装置２０に対する調光制御信号を受信して、誤って調光してしまう恐れがある。
【００６３】
そのような場合を想定し、管理情報として、任意の文字列からなるセキュリティコードを更に加えて、照明装置２０の記憶部２５に同一のセキュリティコードを保持させておき、調光制御装置１０の信号生成部１４が生成する調光制御信号に、当該セキュリティコードを含めるようにしても良い。
【００６４】
そして、照明装置２０は、受信した調光制御信号に含まれる、セキュリティコードと照明識別ＩＤの双方が、記憶部２５に保持された情報と一致した場合にのみ、調光制御を行うようにすることで、上述の問題を回避することが可能となる。
【実施例２】
【００６５】
［管理情報：自動調光情報］
本実施例においては、可搬性メモリに格納される管理情報には、実施例１で述べたグループ管理情報に加えて、各グループに含まれる照明装置２０の時間帯毎の明るさ（消灯を含む）を指定する「自動調光情報」が含まれる。
【００６６】
自動調光情報は、予め指定した任意のスケジュールに従って、自動的に照明装置２０の調光を行うためのものであり、特定の時間帯における照明装置の２０の明るさをどのようにするかが、グループ毎に定められたものである。
【００６７】
自動調光情報のデータ構成としては、図５に示したようなものが例示できる。
すなわち、
・可搬性メモリには、自動調光情報が記録されたファイルであることを示す特定のファイル名（例えば「ＡＵＴＯ」）を有する、一つのＣＳＶテキストファイルが格納されており、
・当該ファイルには、少なくとも一つ以上の明るさを変更する時刻と、当該時刻以降の各グループの明るさに関する情報が、ＣＳＶ形式で記録されている。
なお、図４においては、１行目のレコードはヘッダ行として、２フィールド目からグループ識別ＩＤが記録され、２行目以降のレコードには、１フィールド目に明るさを変更する時刻、２フィールド目から、ヘッダ行の各フィールドと対応するグループの明るさに関する情報が記録されたファイルを、表計算ソフトウェアを利用して編集する場面を例示した。そのため、レコードの区切りである改行コードや、フィールド区切りのカンマは表示されていない。
（以下、自動調光情報がＣＳＶ形式で記録されたテキストファイルを、「自動調光ファイル」ともいう）
【００６８】
本実施例の照明制御システムによる調光制御の手順は、以下のようになる。
【００６９】
まず、予め実施例１で述べたグループ管理ファイルと共に、自動調光ファイルを作成して、ＳＤメモリカードに格納しておく。自動調光ファイル作成の際には、事前に、各照明装置２０の配置や想定される利用シーン等に基づいて、各グループの照明装置２０をどのようなタイミングでどの位の明るさにするかを検討しておき、この検討結果に基づいて、自動調光ファイルをパーソナルコンピュータ等を用いて作成する。
【００７０】
調光制御装置１０の読取部１２に、自動調光ファイルが格納されたＳＤメモリカードが挿入されていると、調光制御装置１０は、実施例１で述べたような使用者による入力操作なしに、自動調光ファイルに記録されたスケジュールに基づき、自動的に調光制御信号を送信する。
【００７１】
読取部１２に挿入されたＳＤメモリカードに自動調光ファイルが格納されていると、自動調光ファイルが読み出されて、自動調光情報が記憶部１３に保持される。記憶部１３には、自動調光を行う時刻（図４における、各レコードの１フィールド目の時刻に相当する）、自動調光を行う対象となるグループ（同、ヘッダ行に記録される、グループ識別ＩＤに相当する）及び、各時刻における各グループの明るさに関する情報（同、各レコードの２フィールド目以降の値に相当する）が保持されることになる。
【００７２】
自動調光を行う時刻になると、読取部１２を介して、挿入されているＳＤメモリカードから、ファイル名が自動調光の対象であるグループのグループ識別ＩＤと一致するグループ管理ファイルを読み出し、読み出されたグループ管理情報が記憶部１３に保持される。
【００７３】
次いで、信号生成部１４は、自動調光の対象のグループ毎に、記憶部１３に保持されている、グループ管理情報、及び、変更後の明るさに関する情報から、自動調光対象のグループに含まれる全ての照明識別ＩＤと、明るさの値を含んだ調光制御信号を生成し、送信部１５に出力することによって調光制御信号が送信部１５から無線送信される。
【００７４】
調光制御信号を受信した照明装置２０の動作は、実施例１と全く同様である。すなわち、受信部２２によって調光制御信号を受信すると、受信した調光制御信号内に記憶部２５に保持される自身の照明識別ＩＤが含まれているかどうかを、制御部２４が判定する。そして、調光制御信号に自身の照明識別ＩＤが含まれている場合にのみ、制御部２４が電源部２３を制御して、調光制御信号によって指示された変更後の明るさとなるように、点灯回路２１に供給される電力を調整する。
【００７５】
なお、上記実施形態においては、可搬性メモリとしてＳＤメモリカードを用いた例を示したが、本発明は可搬性メモリの種類に拠らずに実施可能であり、読取部１２としては、用いたい可搬性メモリに対応するメモリカードスロットや接続端子を設ければ良い。また、読取部１２を複数のメモリカードを読み取り可能なマルチメディアスロットとしても良く、あるいは、読取部１２を複数として種類の異なるスロットを設けても良い。
【００７６】
また、上記実施形態においては、光源としてＬＥＤを用いた例を示したが、電圧や電流の制御によって、点灯・消灯の切り替えや明るさを変更できるものであれば、周知のいずれの光源を採用することができる。
【００７７】
また、上記実施形態においては、送信部１５及び受信部２２について、２．４ＧＨｚ帯の無線通信を行う無線通信デバイスとする例を示したが、調光制御装置１０と照明装置２０との間を無線通信可能なものであれば、周知の通信デバイスを採用することができる。
【符号の説明】
【００７８】
１０  調光制御装置
１１  操作部
１２  読取部
１３  記憶部
１４  信号生成部
１５  送信部
１６  表示部
２０  照明装置
２１  点灯回路
２２  受信部
２３  電源部
２４  制御部
２５  記憶部
【図１】
2015032445.tif 000003
【図２】
2015032445.tif 000004
【図３】
2015032445.tif 000005
【図４】
2015032445.tif 000006
【図５】
2015032445.tif 000007